(57)【要約】【課題】  ポータブルコンピュータと台座の結合用の内蔵式フック装置の提供。【解決手段】  本発明はポータブルコンピュータ、台座、及びフック装置で構成され、ポータブルコンピュータは固定孔を以て台座上の位置決め凸縁に対応し、ポータブルコンピュータが固定孔と位置決め凸縁の結合点を軸として回転して台座に圧着され且つポータブルコンピュータの垂直負荷が台座上のフック装置にかかり、下向きにフック装置の圧着條に圧接され、圧着條がフックを駆動して９０度回転を発生させ且つ係止孔に係合させ、これによりポータブルコンピュータと台座の結合のフック装置を内蔵、縮小し、且つコンピュータの余分の設計を不要とする。【選択図】        図２
2005301964.tif 000002
【特許請求の範囲】
【請求項１】
少なくとも一つの固定孔、及び一つの係止孔を具えたポータブルコンピュータと、
少なくとも一つの位置決め凸縁、及び一つの作業溝を具え、該位置決め凸縁が該固定孔に対応し、ポータブルコンピュータを位置決めする台座と、
を具えたポータブルコンピュータと台座の結合用の内蔵式フック装置において、
該作業溝に設けられたフック装置が、フックベース、フック及び圧着條を具え、フックベースに第１軸支部、及び第２軸支部が設けられ、フックは第１作業部、フック部及び第１軸支手段を具え、該圧着條は第２作業部及び第２軸支手段を具え、該圧着條が第２軸支手段でフックベースの第２軸支部に軸支され、該フックが第１軸支手段でフックベースの第１軸支部に軸支され、且つ圧着條は第２作業部でフックの第１作業部に圧着され、ポータブルコンピュータが台座に圧着される時、ポータブルコンピュータの重量が圧着條にかかり、フックを駆動し、フックのフック部をポータブルコンピュータの係止孔に係合させることを特徴とする、ポータブルコンピュータと台座の結合用の内蔵式フック装置。
【請求項２】
請求項１記載のポータブルコンピュータと台座の結合用の内蔵式フック装置において、ポータブルコンピュータがタブレットＰＣとされたことを特徴とする、ポータブルコンピュータと台座の結合用の内蔵式フック装置。
【請求項３】
請求項１記載のポータブルコンピュータと台座の結合用の内蔵式フック装置において、台座にキーボードが組付けられたことを特徴とする、ポータブルコンピュータと台座の結合用の内蔵式フック装置。
【請求項４】
請求項１記載のポータブルコンピュータと台座の結合用の内蔵式フック装置において、フックの第１軸支手段とフックベースの第１軸支部の軸支方式が軸孔方式とされたことを特徴とする、ポータブルコンピュータと台座の結合用の内蔵式フック装置。
【請求項５】
請求項１記載のポータブルコンピュータと台座の結合用の内蔵式フック装置において、圧着條の第２軸支手段とフックベースの第２軸支部の軸支方式が軸孔方式とされたことを特徴とする、ポータブルコンピュータと台座の結合用の内蔵式フック装置。
【請求項６】
請求項１記載のポータブルコンピュータと台座の結合用の内蔵式フック装置において、フックベースにねじりバネが設けられたことを特徴とする、ポータブルコンピュータと台座の結合用の内蔵式フック装置。
【請求項７】
請求項１記載のポータブルコンピュータと台座の結合用の内蔵式フック装置において、圧着條に圧着ブロックが設けられたことを特徴とする、ポータブルコンピュータと台座の結合用の内蔵式フック装置。
【請求項８】
請求項１記載のポータブルコンピュータと台座の結合用の内蔵式フック装置において、圧着條に穿孔が設けられたことを特徴とする、ポータブルコンピュータと台座の結合用の内蔵式フック装置。
【請求項９】
請求項１記載のポータブルコンピュータと台座の結合用の内蔵式フック装置において、フックベースに支柱が設けられて圧着條の穿孔に挿入され、且つ該支柱にバネが嵌合され、該バネが圧着條とフックベースの間に介在させられたことを特徴とする、ポータブルコンピュータと台座の結合用の内蔵式フック装置。
【請求項１０】
請求項１記載のポータブルコンピュータと台座の結合用の内蔵式フック装置において、回復機構が設けられ、該回復機構は操作部、押し当てブロック、円柱、該円柱に嵌合された回復バネ、及び内側に設けられた第１スライドブロックと第２スライドブロックを具えたことを特徴とする、ポータブルコンピュータと台座の結合用の内蔵式フック装置。
【請求項１１】
請求項１記載のポータブルコンピュータと台座の結合用の内蔵式フック装置において、フックベースに第１スライドレールと第２スライドレールが設けられて回復機構の第２スライドブロックと第２スライドブロックに結合されたことを特徴とする、ポータブルコンピュータと台座の結合用の内蔵式フック装置。
【請求項１２】
請求項１記載のポータブルコンピュータと台座の結合用の内蔵式フック装置において、フックベース外部に物置溝が設けられて回復機構の円柱と回復バネが挿入されたことを特徴とする、ポータブルコンピュータと台座の結合用の内蔵式フック装置。
【発明の詳細な説明】
【技術分野】
【０００１】
本発明は一種の内蔵式フック装置に係り、特にポータブルコンピュータと台座の結合用の内蔵式フック装置に関する。
【背景技術】
【０００２】
現在、一般にポータブルコンピュータ装置、例えばタブレットＰＣは往々にしてフックが台座に設計され、フック構造により、タブレットＰＣと台座が結合可能とされて携帯使用できるものとされる。
【０００３】
しかし、伝統的なポータブルコンピュータ装置は、そのフック構造が内蔵式設計でなく且つフック構造サイズが大きく、使用上、空間使用において不経済となり、並びにコンピュータは大きいサイズのフックを受けるために余分の組合せ設計が必要となり、使用者或いは設計者双方にとって、便利性の点で不足している。
【発明の開示】
【発明が解決しようとする課題】
【０００４】
以上の従来の技術の問題を鑑み、本発明はコンピュータと台座の結合の内蔵式フック装置を提供して上述の問題を解決するものである。
【０００５】
即ち本発明の主要な目的は、ポータブルコンピュータと台座の結合用の内蔵式フック装置を提供することにあり、それは、ポータブルコンピュータと台座を結合するためのフックを内蔵、縮小し、空間節約の目的を達成できる装置であるものとする。
【０００６】
本発明のもう一つの目的は、ポータブルコンピュータと台座の結合用の内蔵式フック装置を提供することにあり、それはポータブルコンピュータの構造設計を簡易化できる装置であるものとする。
【課題を解決するための手段】
【０００７】
請求項１の発明は、少なくとも一つの固定孔、及び一つの係止孔を具えたポータブルコンピュータと、
少なくとも一つの位置決め凸縁、及び一つの作業溝を具え、該位置決め凸縁が該固定孔に対応し、ポータブルコンピュータを位置決めする台座と、
を具えたポータブルコンピュータと台座の結合用の内蔵式フック装置において、
該作業溝に設けられたフック装置が、フックベース、フック及び圧着條を具え、フックベースに第１軸支部、及び第２軸支部が設けられ、フックは第１作業部、フック部及び第１軸支手段を具え、該圧着條は第２作業部及び第２軸支手段を具え、該圧着條が第２軸支手段でフックベースの第２軸支部に軸支され、該フックが第１軸支手段でフックベースの第１軸支部に軸支され、且つ圧着條は第２作業部でフックの第１作業部に圧着され、ポータブルコンピュータが台座に圧着される時、ポータブルコンピュータの重量が圧着條にかかり、フックを駆動し、フックのフック部をポータブルコンピュータの係止孔に係合させることを特徴とする、ポータブルコンピュータと台座の結合用の内蔵式フック装置としている。
請求項２の発明は、請求項１記載のポータブルコンピュータと台座の結合用の内蔵式フック装置において、ポータブルコンピュータがタブレットＰＣとされたことを特徴とする、ポータブルコンピュータと台座の結合用の内蔵式フック装置としている。
請求項３の発明は、請求項１記載のポータブルコンピュータと台座の結合用の内蔵式フック装置において、台座にキーボードが組付けられたことを特徴とする、ポータブルコンピュータと台座の結合用の内蔵式フック装置としている。
請求項４の発明は、請求項１記載のポータブルコンピュータと台座の結合用の内蔵式フック装置において、フックの第１軸支手段とフックベースの第１軸支部の軸支方式が軸孔方式とされたことを特徴とする、ポータブルコンピュータと台座の結合用の内蔵式フック装置としている。
請求項５の発明は、請求項１記載のポータブルコンピュータと台座の結合用の内蔵式フック装置において、圧着條の第２軸支手段とフックベースの第２軸支部の軸支方式が軸孔方式とされたことを特徴とする、ポータブルコンピュータと台座の結合用の内蔵式フック装置としている。
請求項６の発明は、請求項１記載のポータブルコンピュータと台座の結合用の内蔵式フック装置において、フックベースにねじりバネが設けられたことを特徴とする、ポータブルコンピュータと台座の結合用の内蔵式フック装置としている。
請求項７の発明は、請求項１記載のポータブルコンピュータと台座の結合用の内蔵式フック装置において、圧着條に圧着ブロックが設けられたことを特徴とする、ポータブルコンピュータと台座の結合用の内蔵式フック装置としている。
請求項８の発明は、請求項１記載のポータブルコンピュータと台座の結合用の内蔵式フック装置において、圧着條に穿孔が設けられたことを特徴とする、ポータブルコンピュータと台座の結合用の内蔵式フック装置としている。
請求項９の発明は、請求項１記載のポータブルコンピュータと台座の結合用の内蔵式フック装置において、フックベースに支柱が設けられて圧着條の穿孔に挿入され、且つ該支柱にバネが嵌合され、該バネが圧着條とフックベースの間に介在させられたことを特徴とする、ポータブルコンピュータと台座の結合用の内蔵式フック装置としている。
請求項１０の発明は、請求項１記載のポータブルコンピュータと台座の結合用の内蔵式フック装置において、回復機構が設けられ、該回復機構は操作部、押し当てブロック、円柱、該円柱に嵌合された回復バネ、及び内側に設けられた第１スライドブロックと第２スライドブロックを具えたことを特徴とする、ポータブルコンピュータと台座の結合用の内蔵式フック装置としている。
請求項１１の発明は、請求項１記載のポータブルコンピュータと台座の結合用の内蔵式フック装置において、フックベースに第１スライドレールと第２スライドレールが設けられて回復機構の第２スライドブロックと第２スライドブロックに結合されたことを特徴とする、ポータブルコンピュータと台座の結合用の内蔵式フック装置としている。
請求項１２の発明は、請求項１記載のポータブルコンピュータと台座の結合用の内蔵式フック装置において、フックベース外部に物置溝が設けられて回復機構の円柱と回復バネが挿入されたことを特徴とする、ポータブルコンピュータと台座の結合用の内蔵式フック装置としている。
【発明の効果】
【０００８】
本発明のポータブルコンピュータと台座の結合用の内蔵式フック装置は、ポータブルコンピュータと台座を結合するためのフックを内蔵、縮小し、空間節約の目的を達成すると共に、ポータブルコンピュータの構造設計を簡易化する。
【発明を実施するための最良の形態】
【０００９】
本発明のポータブルコンピュータと台座の結合用の内蔵式フック装置は、ポータブルコンピュータ、台座、及びフック装置で構成されている。ポータブルコンピュータは固定孔及び係止孔を具えている。台座は少なくとも一つの位置決め凸縁、及び作業溝を具え、位置決め凸縁は固定孔に対応し、並びにポータブルコンピュータを台座に位置決めするのに供される。このほか作業溝に設けられるフック装置は、フックベース、フック及び圧着條を具え、フックベースに第１軸支部、及び第２軸支部が設けられ、フックは第１作業部、フック部及び第１軸支手段を具えている。圧着條は第２作業部及び第２軸支手段を具えている。圧着條は第２軸支手段でフックベースの第２軸支部に軸支され、フックは第１軸支手段でフックベースの第１軸支部に軸支され、且つ圧着條は第２作業部でフックの第１作業部に圧着される。ポータブルコンピュータが台座に圧接される時、ポータブルコンピュータの重量は圧着條にかかりフックを駆動して９０度回転させ、フックのフック部をポータブルコンピュータの係止孔に係合させる。これにより、ポータブルコンピュータと台座の結合用のフックが内蔵され、且つポータブルコンピュータに余分の設計によりフック装置を組み合わせる必要がなくなる。
【００１０】
前述のフックの第１軸支手段とフックベースの第１軸支部の軸支方式に制限はないが、好ましくは軸孔方式とされる。前述の圧着條の第２軸支手段とフックベースの第２軸支部の軸支方式に制限はないが、好ましくは軸孔方式とされる。
【００１１】
前述のフックベースには更にねじりバネが設けられ、且つねじりバネは一辺がフックベースに組付けられ、もう一辺が該フックの背部に組付けられる。フックベースには更に支柱が設けられ、且つ支柱にバネが嵌合されている。
【００１２】
前述の圧着條には圧着ブロックが設けられ、ポータブルコンピュータが圧着される時、圧着條を更に容易に駆動してフックを簡単に起立させて係止孔に係合させ、圧着條には更に穿孔が設けられている。フックベースの支柱は圧着條の穿孔に挿入され且つバネが圧着條とフックベースの間に介在させられ、圧着條の動作時の弾性付勢力を提供する。
【００１３】
このほか、回復機構が設けられ、それは操作部、押し当てブロック、円柱、円柱に嵌合された回復バネを具え、この回復機構はフック装置に取付られて起立時のフック部の位置を回復させるのに用いられ、また操作部もまた回復バネの作用によりもとの位置に回復する。
【００１４】
前述の回復機構のフック装置への取付方式として、スライドレール及びスライドブロックの移動が使用され、且つフックベース外部に物置溝が設けられ、並びに回復機構の円柱と回復バネが該物置溝に設置される。
【実施例１】
【００１５】
図１は本発明の実施例の結合前状態図である。図示されるように、本発明のポータブルコンピュータと台座の結合用の内蔵式フック装置は、本実施例ではタブレットＰＣとされたポータブルコンピュータ１、台座２、作業溝２２、及び作業溝２２に設けられたフック装置３を具えている。ポータブルコンピュータ１は二つの固定孔１１及び一つの係止孔１２を具えている。台座２は、二つの位置決め凸縁２１及び作業溝２２を具え、該位置決め凸縁２１は固定孔１１に対応し、位置決め凸縁２１と固定孔１１の結合点を支点とし、ポータブルコンピュータ１が回転し台座２に圧接される。
【００１６】
図２は本発明の実施例のフック装置の分離図である。フック装置３は、フックベース３３、フック３１、及び圧着條３２を具えている。該フックベース３３には第１軸孔３５、第２軸孔３６、ねじりバネ３１５が設けられ、ねじりバネ３１５の一端はフックベース３３に設けられ、もう一端はフック３１の背部に接触し、フックベース３３に更に支柱３３６、支柱３３６に嵌合されて圧着條３２に弾性付勢力を提供するバネ３３５、第１スライドレール３３７、第２スライドレール３３８、及び物置溝３３９が設けられている。フック３１は第１作業部３１１、フック部３１２、及び第１軸柱３７を具え、圧着條３２は第２作業部３２２、第２軸柱３８、圧着ブロック３２１、及び穿孔３２５を具えている。この穿孔３２５はバネ３３５が装着された支柱３３６を通過させ、バネ３３５を圧着條３２とフックベース３３の間に介在させる。圧着條３２は第２軸柱３８でフックベース３３の第２軸孔３６に軸支され、フック３１は第１軸柱３７でフックベース３３の第１軸孔３５に軸支され、且つ圧着條３２は第２作業部３２２でフック３１の第１作業部３１１に圧接される。
【００１７】
図２に示されるように、本発明は回復機構３４を更に具え、該回復機構３４は操作部３４４、押し当てブロック３４１、円柱３４５、円柱３４５に嵌合された回復バネ３４６、及び該回復機構３４の内側に第１スライドブロック３４２及び第２スライドブロック３４３が設けられている。該フックベース３３の第１スライドレール３３７及び第２スライドレール３３８はそれぞれ回復機構３４の第１スライドブロック３４２及び第２スライドブロック３４３に結合されて回復機構３４をスライド方式でフックベース３３に結合させ、且つ回復機構３４の円柱３４５及び回復バネ３４６はフックベース３３の物置溝３３９に設置される（図３）。
【００１８】
ポータブルコンピュータ１の重さが圧着條３２の圧着ブロック３２１にかかり、且つバネ３３５の弾性付勢力が釈放されることで、圧着條３２がフック３１を駆動し、フック３１のフック部３１２を９０度回転させて台座２の係止孔１２に係合させ、且つフック部３１２の前方が押し当てブロック３４１にブロックされ（図４）、後方はねじりバネ３１５により押圧され、これによりフック３１が力平衡状態となり、並びにポータブルコンピュータと台座の結合の機能が達成される。
【００１９】
フック３１が起立し係止孔１２に結合される時（図４）、操作部３４４を移動させて押し当てブロック３４１にフック部３１２を押し下げさせて、フック部３１２を降ろすと、回復機構３４はまだ動作中で（図５）、回復バネ３４６の弾性付勢力により回復機構３４が原状に回復し、結合前の状態に回復する（図６）。
【００２０】
以上の実施例は説明のために提示されたものであり、本発明の範囲を制限するものではなく、本発明に基づきなしうる細部の修飾或いは改変は、いずれも本発明の請求範囲に属するものとする。
【図面の簡単な説明】
【００２１】
【図１】本発明の実施例の結合前状態図である。
【図２】本発明の実施例のフック装置の分離図である。
【図３】本発明の実施例のフック装置の結合図である。
【図４】本発明の実施例のフック装置の動作図である。
【図５】本発明の実施例のフック装置の動作図である。
【図６】本発明の実施例のフック装置の回復図である。
【符号の説明】
【００２２】
１  ポータブルコンピュータ  １１  固定孔            １２  係止孔
２  台座                    ２１  位置決め凸縁      ２２  作業溝
３  フック装置              ３１  フック            ３１１  第１作業部
３１２  フック部            ３７  第１軸柱          ３２  圧着條
３２１  圧着ブロック        ３２２  第２作業部      ３２５  穿孔
３８  第２軸柱              ３３  フックベース      ３３６  支柱
３３７  第１スライドレール  ３３８  第２スライドレール  ３１５  ねじりバネ
３３５  バネ                ３３９  物置溝          ３５  第１軸孔
３６  第２軸孔              ３４  回復機構          ３４４  操作部
３４２  第１スライドブロック  ３４３  第２スライドブロック
３４１  押し当てブロック
【図１】
2005301964.tif 000003
【図２】
2005301964.tif 000004
【図３】
2005301964.tif 000005
【図４】
2005301964.tif 000006
【図５】
2005301964.tif 000007
【図６】
2005301964.tif 000008